(57)【要約】【課題】放熱性を維持しつつ、回転バランスもとれた基板を備える蛍光体ホイール装置を提供する。【解決手段】蛍光体と、蛍光体が設けられた円盤状の基板と、を備える蛍光体ホイール装置であって、蛍光体は、基板における、基板の回転軸を中心とする円周上の少なくとも一部に設けられている。基板は、第１の開口部と、複数の第２の開口部と、を備え、複数の第２の開口部は、回転軸を中心として放射状に設けられている。【選択図】図２Ａ
2017173798.tif 000002
【特許請求の範囲】
【請求項１】
蛍光体と、
前記蛍光体が設けられた円盤状の基板と、を備える蛍光体ホイール装置であって、
前記蛍光体は、前記基板における、前記基板の回転軸を中心とする円周上の少なくとも一部に設けられ、
前記基板は、第１の開口部と、複数の第２の開口部と、を備え、
前記複数の第２の開口部は、前記回転軸を中心として放射状に設けられている、蛍光体ホイール装置。
【請求項２】
前記第２の開口部のそれぞれは、前記回転軸を中心として放射方向に延びる長孔である、請求項１に記載の蛍光体ホイール装置。
【請求項３】
前記第２の開口部のそれぞれは、前記放射方向に延びるに従い幅が広がる細長のしずく形である、請求項２に記載の蛍光体ホイール装置。
【請求項４】
前記第２の開口部のそれぞれは円形であって、それら開口部は前記回転軸を中心として放射方向に延びる複数の列を形成するよう配列されている、請求項１に記載の蛍光体ホイール装置。
【請求項５】
前記列のそれぞれにおいて、前記第２の開口部の径は、前記基板の外縁に近づくに従い大きくなる、請求項４に記載の蛍光体ホイール装置。
【請求項６】
前記複数の第２の開口部は、前記基板において前記第１の開口部および蛍光体が設けられた円周よりも内側の領域であって、且つ、前記回転軸をはさんで前記第１の開口部と対向する領域に、互いに近接して設けられている、請求項１に記載の蛍光体ホイール装置。
【請求項７】
前記複数の第２の開口部は、開口部内面の面積の総和が、開口端面の面積の総和の７０％以上である、請求項１に記載の蛍光体ホイール装置。
【請求項８】
請求項１に記載の蛍光体ホイール装置と、
前記蛍光体および前記第１の開口部を照射する光源と、
前記蛍光体ホイール装置から得られる光を映像信号に応じて変調して映像光を出射する光変調素子と、
前記光変調素子から出射される映像光を拡大投写する投写光学系と、を備える、
投写型映像表示装置。
【発明の詳細な説明】
【技術分野】
【０００１】
本開示は、蛍光体ホイール装置、およびそれを使用した投写型映像表示装置に関する。
【背景技術】
【０００２】
従来から、蛍光体ホイール装置の基板の回転バランスをとるために、基板の一部に切欠き部を設ける技術がある。また、特許文献１には、切欠き部を設けることで生じる基板の放熱性の低下を抑制するために、基板上の蛍光体に照射する励起光の強度を小さくする技術が開示されている。
【先行技術文献】
【特許文献】
【０００３】
【特許文献１】特開２０１３−４１１７０号公報
【発明の概要】
【発明が解決しようとする課題】
【０００４】
本開示は、放熱性を維持しつつ回転バランスもとれた基板を備えた蛍光体ホイール装置を提供する。
【課題を解決するための手段】
【０００５】
本開示は、蛍光体と、蛍光体が設けられた円盤状の基板と、を備える蛍光体ホイール装置であって、蛍光体は、基板における、基板の回転軸を中心とする円周上の少なくとも一部に設けられている。基板は、第１の開口部と、複数の第２の開口部と、を備え、複数の第２の開口部は、回転軸を中心として放射状に設けられている。
【発明の効果】
【０００６】
本開示は、放熱性を維持しつつ回転バランスもとれた基板を備えた蛍光体ホイール装置を提供する。
【図面の簡単な説明】
【０００７】
【図１】図１は実施の形態１における投写型映像表示装置の光学構成を示す図である。
【図２Ａ】図２Ａは実施の形態１における蛍光体ホイール装置の構成を示す平面図である。
【図２Ｂ】図２Ｂは実施の形態１における蛍光体ホイール装置の構成を示す側面図である。
【図３】図３は実施の形態１におけるバランス用開口部を一つ取り出して拡大した斜視図である。
【図４】図４は図２ＡのＡ部に該当する箇所の拡大図である。
【図５】図５は比較対象である基板上の蛍光体の温度測定ポイントを示す図である。
【図６】図６は実施の形態１における基板上の蛍光体の温度測定ポイントを示す図である。
【図７】図７はバランス用開口部の形状による蛍光体の温度変化をシュミレーションした結果を示す図である。
【図８】図８は基板を回転させた場合の流体による蛍光体の温度変化をシュミレーションした結果を示す図である。
【図９Ａ】図９Ａは図７と図８に示す結果を足し合わせた結果を示す図である。
【図９Ｂ】図９Ｂはシュミレーション条件を示す図である。
【図１０Ａ】図１０Ａは比較対象の基板を回転させた場合の流速分布をシュミレーションした結果を示す図である。
【図１０Ｂ】図１０Ｂは実施の形態１における基板を回転させた場合の流速分布をシュミレーションした結果を示す図である。
【図１１】図１１は実施の形態２におけるバランス用開口部を一つ取り出して拡大した斜視図である。
【図１２】図１２は実施の形態２における基板の図２ＡのＡ部に該当する箇所の拡大図である。
【発明を実施するための形態】
【０００８】
以下では、本開示に係る実施形態について、図面を参照しつつ説明を行う。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために、提供されるのであって、これらにより特許請求の範囲に記載の主題を限定することは意図されていない。
【００１０】
（実施の形態１）
以下、図１〜図１０Ｂを参照して、実施の形態１を説明する。
【００１１】
［投写型映像表示装置の光学構成］
図１は、実施の形態１における投写型映像表示装置１の光学構成を示す図である。この例では、投写型映像表示装置１はプロジェクタである。
【００１２】
投写型映像表示装置１は、照明装置１０と、映像生成部９０と、映像生成部９０によって生成された映像光をスクリーン（図示せず）へ投写する投写レンズ９８とを備える。
【００１３】
照明装置１０は、映像生成部９０に、照度が均一で略平行光化された光を出射する。照明装置１０の詳細については後述する。
【００１４】
映像生成部９０は、レンズ９２と、全反射プリズム９４と、１枚のＤＭＤ（Ｄｉｇｉｔａｌ  Ｍｉｒｒｏｒ  Ｄｅｖｉｃｅ）９６とを備える。レンズ９２は、照明装置１０から出射された光をＤＭＤ９６に結像させる機能を有している。具体的には、レンズ９２を介して全反射プリズム９４に入射した光は、面９４ａによって反射され、ＤＭＤ９６へ導かれる。ＤＭＤ９６には、基体に複数のミラーが設けられている。ＤＭＤ９６は、図示しない制御部によって、複数のミラーそれぞれに入射する各色光のタイミングと、制御部に入力される映像信号とに応じて、複数のミラーそれぞれをオン（ＯＮ）・オフ（ＯＦＦ）制御されて、映像信号を変調する。ここで、オン制御された状態とは、複数のミラーが、光源から入射される光を投射レンズ９８の入射口９８ａに向けて反射する状態のことである。また、オフ制御された状態とは、複数のミラーが、光源から入射される光を投射レンズ９８の入射口９８ａ以外の方向に反射する状態のことである。ＤＭＤ９６によって変調されて出射された光（映像光）は、全反射プリズム９４を透過して投写レンズ９８の入射口９８ａへ導かれる。実施の形態１では、ＤＭＤ９６として、対角サイズが例えば０．６７インチのＤＭＤを使用する。ＤＭＤ９６は、光変調素子の一例である。
【００１５】
投写レンズ９８は、入射口９８ａに入射される時間的に合成された映像光を、投写型映像表示装置１の外部のスクリーン（図示せず）へ投写する。投写レンズ９８のＦナンバーは例えば１．７である。投写レンズ９８は、投写光学系の一例である。
【００１６】
［照明装置の構成］
図１に示すように、照明装置１０は、光源装置１２と、光源装置１２からの出射光を映像生成部９０へと導光する導光光学系７０とを備える。
【００１７】
５×５のマトリクス状に配置された第１のレーザモジュール２０は、半導体レーザ素子２２およびコリメートレンズ２４を備える。また、５×５のマトリクス状に配置された第２のレーザモジュール２６は、半導体レーザ素子２８およびコリメートレンズ３０を備える。半導体レーザ素子２２、２８は、波長４５０ｎｍの青色レーザ光を出射する。コリメートレンズ２４、３０は、半導体レーザ素子２２，２８の一つ一つに設けられており、半導体レーザ素子２２，２８から広がり角を持って出射した青色レーザ光を平行な光束に集光する機能を有している。第１のレーザモジュール２０および第２のレーザモジュール２６は、光源の一例である。
【００１８】
半導体レーザ素子２２，２８から出射される青色レーザ光は、ミラー３２によって空間的に合成される。ここで、半導体レーザ素子２２，２８から出射される青色レーザ光がミラー３２上の異なる位置に入射されるように、レーザモジュール２０，２６の配置が等間隔に調整されている。また、ミラー３２は、第１のレーザモジュール２０からの青色レーザ光が入射する領域では青色レーザ光に対して高透過となるＡＲ（Ａｎｔｉ‐Ｒｅｆｌｅｃｔｉｏｎ）コーティングが施されている。さらに、ミラー３２は、第２のレーザモジュール２６からの青色レーザ光が入射する領域では青色レーザ光に対して高反射となるミラーコーティングが施されている。
【００１９】
ミラー３２によって合成された青色レーザ光は、レンズ３４によって集光、重畳される。レンズ３４によって集光、重畳された青色レーザ光は、ダイクロイックミラー４０に入射する前に、レンズ３６と拡散板３８を透過する。レンズ３６は、レンズ３４によって集光、重畳された青色レーザ光を、再び平行な光束に戻す機能を有する。拡散板３８は、レンズ３４によって集光、重畳された青色レーザ光の干渉性を低減させるとともに、レーザ光の集光性を調整する機能を有する。
【００２０】
ダイクロイックミラー４０は、カットオフ波長を約４８０ｎｍに設定した色合成素子である。従って、レンズ３６によって略平行光化され青色レーザ光は、ダイクロイックミラー４０によって反射され、集光レンズ４２、４４で集光されて、蛍光体ホイール装置１００へ照射される。
【００２１】
図２Ａは、実施の形態１における蛍光体ホイール装置１００の構成を示す平面図である。図２Ｂは、実施の形態１における蛍光体ホイール装置１００の構成を示す側面図である。
【００２２】
蛍光体ホイール装置１００は、投写される画像の１フレームの期間（例えば、１／６０秒）に対応して回転制御される。図２Ａに示すように、基板１０１上に回転方向（円周方向）に沿って設けられた、緑色蛍光体セグメント１０５、赤色蛍光体セグメント１０６、およびレーザ光透過用開口部１０７に対して、基板１０１の回転によって時間的に順次青色レーザ光が照射される。
【００２３】
蛍光体ホイール装置１００の蛍光体領域を照射した、励起光である青色レーザ光は、照射した蛍光スポットにおいて緑色蛍光体セグメント１０５、および赤色蛍光体セグメント１０６の蛍光体を励起する。ここで、蛍光体領域とは、緑色蛍光体セグメント１０５、および赤色蛍光体セグメント１０６の蛍光体が設けられた領域のことをいう。励起された緑色蛍光体セグメント１０５の蛍光体、および赤色蛍光体セグメント１０６の蛍光体は、緑色光および赤色光を集光レンズ４４方向に出射する。これら緑色光および赤色光は、集光レンズ４４、４２によって略平行光化されて、ダイクロイックミラー４０を透過する。
【００２４】
一方、レーザ光透過用開口部１０７を透過した青色レーザ光は、集光レンズ４２，４４によって集光されているが、再びレンズ４６，４８によって略平行光化される。略平行光化された青色レーザ光は、光路に配置されたミラー５０、５２、５８によって、再びダイクロイックミラー４０に戻る。さらに、延長された光路分をリレーするためのレンズ５４と、青色レーザ光の干渉性を更に低減させるための拡散板５６とを光路に配置する。
【００２５】
蛍光体ホイール装置１００を透過し、光路をリレーされてダイクロイックミラー４０に戻った青色レーザ光は、ダイクロイックミラー４０によってレンズ６０方向へ反射される。このようにして、蛍光体ホイール装置１００を透過した光（青色レーザ光）と出射した光（緑色光および赤色光）とは、ダイクロイックミラー４０によって空間的に合成される。
【００２６】
ダイクロイックミラー４０によって空間的に合成された光は、レンズ６０によって集光され、光源装置１２からの出射光となる。
【００２７】
光源装置１２からの出射光は、ロッドインテグレータ７２へと入射する。ロッドインテグレータ７２は、入射面７２ａおよび出射面７２ｂを備えている。ロッドインテグレータ７２の入射面７２ａに入射した光源装置１２からの出射光は、ロッドインテグレータ７２内で照度がより均一化され、出射面７２ｂから出射される。出射面７２ｂから出射された光は、レンズ７４、７６で略平行光化され、照明装置１０から映像生成部９０に出射される。
【００２８】
［投写型映像表示装置の動作］
以上のように構成された投写型映像表示装置１について、その動作を以下説明する。
【００２９】
投写型映像表示装置１において、照明装置１０は、時間的に切り替わる赤色光、緑色光、青色光の３色の光を出射する。映像生成部９０は、照明装置１０から出射された光から映像光を生成する。投写レンズ９８は、入射口９８ａに入射される映像生成部９０で生成された映像光をスクリーンへ拡大投写する。制御部（図示せず）は、映像生成部９０のＤＭＤ９６と、照明装置１０の蛍光体ホイール装置１００とを同期して制御する。制御部は、入力される映像信号に基づいて、各色光に対応した映像光を生成するように、ＤＭＤ９６を制御する。これにより、スクリーンへは、時分割に各色の映像光が投写される。ユーザは、スクリーンに投写される映像光を連続的に見ることで、映像として視認する。
【００３０】
［蛍光体ホイール装置の構成］
図２Ａ〜図４を参照しつつ、蛍光体ホイール装置１００の構成の詳細を説明する。
【００３１】
蛍光体ホイール装置１００は、円盤状のアルミニウム製の基板１０１を備える。この基板１０１の中心Ｃには取付け孔１０２が設けられている。この取付け孔１０２にモータ１０３の回転軸１０４が取り付けられ、モータ１０３によって基板１０１が回転駆動される。蛍光体ホイール装置１００の基板１０１の片面には、基板１０１の同一円周上に１２０°の角度で、それぞれ緑色蛍光体セグメント１０５、赤色蛍光体セグメント１０６、およびレーザ光透過用開口部１０７が設けられている。基板１０１にはさらに、緑色蛍光体セグメント１０５、赤色蛍光体セグメント１０６、およびレーザ光透過用開口部１０７が設けられた円周よりも内側に、複数のバランス用開口部１０８が設けられている。ここで、レーザ光透過用開口部１０７は、第１の開口部の一例であり、バランス用開口部１０８は、第２の開口部の一例である。
【００３２】
バランス用開口部１０８は、基板１０１の回転バランスをとるために設けられる。基板１０１は、製造過程において、その中心に取付け孔１０２を設けた時点では、回転バランスが取られている。しかし、基板１０１にレーザ光透過用開口部１０７を設けた時点で、大きく重量バランスが崩れてしまい、回転バランスがとれなくなる。また、基板１０１に蛍光体を形成したときにも、その蛍光体の重量によって回転バランスに影響が出てしまう。バランス用開口部１０８は、このような基板１０１の回転時おけるアンバランスをなくすために設けられる。
【００３３】
実施の形態１では、複数のバランス用開口部１０８が設けられており、具体的には９個設けられる。バランス用開口部１０８は、円盤状の基板１０１の中心Ｃから放射方向に延びる長孔となっている。さらに、具体的には長孔の形状は、円盤状の基板１０１の中心Ｃから放射方向に延びるに従い幅が広がる、細長のしずく形（水滴形）となっている。
【００３４】
複数のバランス用開口部１０８は、図２Ａから分かるように、基板１０１において、レーザ光透過用開口部１０７、緑色蛍光体セグメント１０５、赤色蛍光体セグメント１０６が設けられた円周よりも内側に設けられている。且つ、複数のバランス用開口部１０８は、回転軸１０４をはさんでレーザ光透過用開口部１０７と対向する領域に、互いに近接して設けられている。
【００３５】
図３は、実施の形態１におけるバランス用開口部１０８を１つ取り出して拡大した斜視図である。図４は、図２ＡのＡ部に該当する箇所の拡大図である。
【００３６】
青色レーザ光で励起された蛍光体は、発光するときに熱を発生するため、基板１０１には、放熱性に優れたアルミニウム等が材料として使用される。ここで、基板１０１に基板１０１の厚みに対して開口面積が大きいバランス用開口部が設けられると、基板１０１の放熱面積（表面積）が減少し、放熱効果が低下してしまう。しかしながら、実施の形態１では、バランス用開口部１０８を設けても、放熱効果の低下を抑制できるようにしている。つまり、バランス用開口部１０８の形状の最適化を行い、基板１０１の放熱効果の低下を抑制している。
【００３７】
ここで、図３に示すようにバランス用開口部１０８の開口部内面１０８ａ（ハッチングを施した部分）の面積を面積Ｓ１とし、図４に示すようにバランス用開口部１０８の開口端面１０８ｂ（ハッチングを施した部分）の面積を面積Ｓ２とする。この場合、上記目的を達成するためには、できるだけＳ１をＳ２に近づけること、すなわち、面積Ｓ１が面積Ｓ２の９０％以上（Ｓ１≒Ｓ２）であることが望ましい。なお、実験の結果、面積Ｓ１が面積Ｓ２の７０％以上であれば、所望の放熱効果を得られることが確認できた。
【００３８】
実施の形態１では、同一形状、同一寸法のバランス用開口部１０８が９個設けられているので、面積Ｓ１の総和（Ｓ１×９）が、面積Ｓ２の総和（Ｓ２×９）の７０％以上、好ましくは９０％以上になるように、バランス用開口部１０８の寸法を決定する。
【００３９】
通常、基板の厚さは１ｍｍ程度であるので、実施の形態１のような形状の開口部にすることによって、容易に放熱面積を開口部内面に確保できる。
【００４０】
［効果］
図５〜図１０Ｂを参照しつつ、実施の形態１の効果につき、以下説明する。図５は、比較対象である基板１１１に設けた蛍光体の温度測定ポイントを示す図である。図６は、実施の形態１における基板１０１に設けた蛍光体の温度測定ポイントを示す図である。図５に示すように、実施の形態１の比較対象として、１つの扇形の大きなバランス用開口部１１８を設けた基板１１１を用いる。基板１１１の中心Ｃには取付け孔１１２が設けられている。基板１１１の片面には、基板１１１の同一円周上に１２０°の角度で、それぞれ緑色蛍光体セグメント１１５、赤色蛍光体セグメント１１６、およびレーザ光透過用開口部１１７が設けられている。基板１１１にはさらに、緑色蛍光体セグメント１１５、赤色蛍光体セグメント１１６、およびレーザ光透過用開口部１１７が設けられていた円周よりも内側に、一つの扇形の大きなバランス用開口部１１８が設けられている。
【００４１】
また、本効果を確認した実施の形態１の基板１０１は、そのバランス用開口部１０８の開口部内面１０８ａの面積Ｓ１の総和が、バランス用開口部１０８の開口端面１０８ｂの面積Ｓ２の総和の約９９％になるようにし、バランス用開口部１０８の開口部内面１０８ａの面積Ｓ１の総和と、バランス用開口部の開口部端面１０８ｂの面積Ｓ２の総和とを略等しくしている。
【００４２】
（放熱効果）
図５と図６の基板１０１、１１１に塗布された、蛍光体の温度をシュミレーションする。図５、図６に示すように蛍光体領域における０°、４５°、９０°、１３５°、１８０°の５つの角度のポイントを温度測定ポイントに設定した。これら５つの角度のポイントで蛍光体の温度測定のシュミレーションを行った。
【００４３】
以下にシュミレーションの方法を示す。
【００４４】
まず、図５と図６の基板１０１、１１１を静止させた状態で、レーザ光のスポットが基板１０１，１１１の回転速度で回転しながら蛍光体を照射した結果として、基板１０１，１１１を５５Ｗ（ワット）まで発熱させる。
【００４５】
図７はバランス用開口部１０８、１１８の形状による蛍光体の温度変化をシュミレーションした結果を示す図である。図７では各温度測定ポイントで蛍光体の温度を測定し、０°のポイントと１８０°のポイントにおける蛍光体の温度を基準温度として、その基準温度からバランス用開口部１０８、１１８によってどれだけ温度変化が生じるかを示している。図７のグラフにおいて、９０°前後で温度の上昇のピークがあるのは開口部１０８，１１８の存在により、その付近の基板１０１、１１１の放熱効果が低下しているからである。
【００４６】
次に、図５と図６に示す基板１０１、１１１を矢印Ａ方向に回転させると、基板１０１，１１１の回転方向とは逆方向（破線矢印方向）に流体の流れが発生する。このとき、基板１０１，１１１を静止させて流体の流れを見ると、０°から１８０°の方向に流体である空気が流れる。この場合、基板１０１，１１１上の蛍光体からの発熱により、空気の温度が上昇する。図８は、基板１０１、１１１を回転させた場合の流体による蛍光体の温度変化をシュミレーションした結果を示す図である。図８に示すように、０°のポイントから１８０°のポイントに向かうに従って蛍光体の温度が徐々に上昇している。これは、バランス用開口部１０８，１１８から遠い０°のポイントにおける空気の温度は低いが、０°のポイントから１８０°のポイントに向かうに従って空気の温度が高くなり、空気による冷却効果が小さくなるからである。
【００４７】
図９Ａは、図７と図８に示す結果を足し合わせた結果を示す図である。図９Ｂは、シュミレーション条件を示す図である。この図９Ａから分かるように実施の形態１の基板１０１の方が、比較対象の基板１１１より５℃以上蛍光体の温度が低下している。
【００４８】
（騒音低減効果）
一つのバランス用開口部１１８を有する比較対象の基板１１１と、複数のバランス用開口部１０８を有する実施の形態１の基板１０１とでは、複数のバランス用開口部１０８を有する基板１０１の方が、回転時の騒音が小さいという実験結果が得られた。その原因解析のために、基板１０１、１１１を回転数１０８００ｒｐｍにて空気中で回転させた場合の流体分布シュミレーションを行い、開口端Ｐの圧力を計算した。
【００４９】
図１０Ａは、比較対象の基板１１１を回転させた場合の流速分布をシュミレーションした結果を示す図である。図１０Ｂは、実施の形態１における基板１０１を回転させた場合の流速分布をシュミレーションした結果を示す図である。ここで、開口端Ｐとは、図１０Ａ，図１０Ｂに示すように、バランス用開口部１０８、１１８の最も左端の開口部分のことをいう。一般的に、基板１０１、１１１が回転する際の騒音の大きさは、開口端Ｐの圧力の大きさに依存する。つまり、開口端Ｐの圧力が大きい方が、騒音は大きくなると言える。
【００５０】
シュミレーションの結果、実施の形態１の基板１０１におけるバランス用開口部１０８の開口端Ｐの圧力は５８．９Ｐａ（パスカル）であり、比較対象の基板１１１におけるバランス用開口部１１８の開口端Ｐの圧力は１０５．０Ｐａであった。これより、複数のバランス用開口部１０８を有する実施の形態１の基板１０１の方が、開口端Ｐの圧力が小さい、つまり、騒音が小さいということが確認できた。
【００５１】
また、基板を回転数１０８００ｒｐｍにて、空気中で回転させた場合、基板１０１，１１１の周りの空気は、シュミレーション上、図１０Ａ、図１０Ｂに示すような流速分布になる。ここで、矢印（ベクトル）の長さが流速の大小をあらわす。つまり、矢印の長さが長いと流速は大きく、矢印の長さが短いと流速は小さいといえる。比較対象の基板１１１の場合、バランス用開口部１１８の中央部における流速は小さいが、開口端Ｐにおける流速は大きい。これに対して、実施の形態１の基板１０１の場合は、バランス用開口部１０８周辺の流速は一様な分布になっている。
【００５２】
すなわち、比較対象の基板１１１は、周りの空気に向かって、バランス用開口部１１８の内面部が衝突していることになる。これ対して、実施の形態１の基板１０１の場合は、周りの空気が、バランス用開口部１０８と一緒に移動しているため、開口部内面１０８ａに空気が衝突しないようになっている。結果として、バランス用開口部１０８を複数の長孔開口部にした場合、騒音を抑制することができることになる。
【００５３】
（実施の形態２）
以下、図１１と図１２を用いて実施の形態２を説明する。実施の形態１と同一な構成については重複説明を省略し、異なる点についてのみ述べる。
【００５４】
図１１は、実施の形態２におけるバランス用開口部１２８を一つ取り出して拡大した斜視図である。図１２は実施の形態２における基板１２１の図２ＡのＡ部に該当する箇所の拡大図である。図１１と図１２に示すように、バランス用開口部１２８のそれぞれは円形であって、それら開口部は回転軸１０４を中心として放射方向に延びる複数の列を形成するよう配列されている。また、列のそれぞれにおいて、開口部の径は、基板１２１の外縁に近づくに従い大きくなっている。
【００５５】
ここで、配列状態の具体例としては、各列を形成する各開口部の中心が一直線上に並んでいる状態があげられるがこれに限定されない。
【００５６】
また、基板１２１の放熱効果の低下を抑制するためには、バランス用開口部１２８の開口部内面１２８ａの面積の総和が、バランス用開口部１２８の開口端面１２８ｂの面積の総和の９０％以上であることが望ましい。さらに、バランス用開口部１２８の開口部内面１２８ａの面積の総和が、バランス用開口部１２８の開口端面１２８ｂの面積の総和の７０％以上であれば、所望の放熱効果を得られる。
【００５７】
（他の実施の形態）
以上のように、本出願において開示する技術の例示として、実施の形態を説明した。しかしながら、本開示における技術は、これに限定されず、変更、置き換え、付加、省略などを行った実施の形態にも適用できる。また、上記実施の形態で説明した各構成要素を組み合わせて、新たな実施の形態とすることも可能である。
【００５８】
そこで、以下、他の実施の形態を例示する。
【００５９】
上記実施の形態では、光源部に、５×５のマトリクス状に配置された半導体レーザ素子２２，２８により構成されるレーザモジュール２０，２６を例示したが、半導体レーザ素子の数および配置はこれに限定されるものではなく、半導体レーザ素子一つ当たりの光強度や、光源装置に所望される出力などに応じて適宜設定すればよい。また、レーザ光の波長も４５０ｎｍに限定されるものではなく、例えば、４０５ｎｍの光を出力する紫色半導体レーザ素子や、４００ｎｍ以下の紫外線光を出力する半導体レーザ素子などを用いてもよい。
【００６０】
上記実施の形態では、青色のレーザ光によって、セリウム付活ガーネット構造蛍光体を励起し、赤色および緑色を主波長とする光を発光する構成を例示したが、黄色や青緑色を主波長とする光を発光する蛍光体を用いてもよい。
【００６１】
また、実施の形態の赤色蛍光体セグメントに代えて黄色蛍光体セグメントを設け、後段にカラーフィルタを設けて、赤色を取り出すようにしてもよい。
【００６２】
上記実施の形態では、第１の開口部は周縁を有する開口部であったが、切欠形状の開口部であってもよい。
【産業上の利用可能性】
【００６３】
本開示は、蛍光体ホイール装置を使用した投写型映像表示装置に適用可能である。
【符号の説明】
【００６４】
１    投写型映像表示装置
１０    照明装置
１２    光源装置
２０，２６    レーザモジュール
２２，２８    半導体レーザ素子
２４，３０    コリメートレンズ
３４，３６，４６，５４，６０，７４，９２    レンズ
３２，５０    ミラー
３８，５６    拡散板
４０    ダイクロイックミラー
４２，４４    集光レンズ
７０    導光光学系
７２    ロッドインテグレータ
９０    映像生成部
９４    全反射プリズム
９４ａ    面
９６    ＤＭＤ
９８    投写レンズ
９８ａ    入射口
１００    蛍光体ホイール装置
１０１，１１１，１２１    基板
１０２，１１２    取付け孔
１０３    モータ
１０４    回転軸
１０５，１１５    緑色蛍光体セグメント
１０６，１１６    赤色蛍光体セグメント
１０７，１１７    レーザ光透過用開口部
１０８，１１８，１２８    バランス用開口部
１０８ａ，１２８ａ    開口部内面
１０８ｂ，１２８ｂ    開口端面
【図１】
2017173798.tif 000003
【図２Ａ】
2017173798.tif 000004
【図２Ｂ】
2017173798.tif 000005
【図３】
2017173798.tif 000006
【図４】
2017173798.tif 000007
【図５】
2017173798.tif 000008
【図６】
2017173798.tif 000009
【図７】
2017173798.tif 000010
【図８】
2017173798.tif 000011
【図９Ａ】
2017173798.tif 000012
【図９Ｂ】
2017173798.tif 000013
【図１０Ａ】
2017173798.tif 000014
【図１０Ｂ】
2017173798.tif 000015
【図１１】
2017173798.tif 000016
【図１２】
2017173798.tif 000017